(57)【要約】眼内に配置するための薬物送達デバイスは、薬学的に活性な薬剤（３）を含有する薬物コア（２）、およびこの薬物コアを保持するホルダ（６）を備える。このホルダは、この活性薬剤の通過に対して不透過性である材料から作製され、そして薬学的医薬剤を眼組織へと通過させるための開口部（７）を備える。このデバイスは、この活性薬剤の通過に対して透過性である材料の層（５）を備える。このデバイスは、この薬物コアとこのホルダの開口部との間に配置された、不透過性の材料のディスク（１４）をさらに備える。
2007515231.tif 000002
【特許請求の範囲】
【請求項１】
薬物送達デバイスであって、以下：
ホルダであって、該ホルダは、薬学的に活性な薬剤の通過に対して不透過性である材料から作製されており、そして該活性薬剤の通過のための少なくとも１つの開口部を備える、ホルダ；
薬物コアであって、該薬物コアは、該ホルダに収容され、そして薬学的に活性な薬剤を含有する、薬物コア；および
該活性薬剤の通過に対して透過性である、膨張可能な材料から作製された、予め形成されたディスクであって、該ディスクは、該ホルダに収容され、そして該薬物コアと、該ホルダの該少なくとも１つの開口部との間に配置される、予め形成されたディスク、
を備え；
該ホルダの該ディスクに隣接する位置に、溝が形成されている、デバイス。
【請求項２】
前記溝および前記ディスクが、円形であり、そして該溝が、非膨張状態にある場合の該ディスクの直径より大きい直径を有する、請求項１に記載のデバイス。
【請求項３】
前記ディスクは、体液に曝露されると膨張し、そして前記溝内に膨張する、請求項２に記載のデバイス。
【請求項４】
前記溝が、非膨張状態にある場合の前記ディスクより大きい、請求項１に記載のデバイス。
【請求項５】
前記ディスクは、体液に曝露されると膨張し、そして前記溝内に膨張する、請求項４に記載のデバイス。
【請求項６】
前記ホルダに取り付けられた縫合タブをさらに備える、請求項１に記載のデバイス。
【請求項７】
前記不透過性の材料が、シリコーンを含有する、請求項１に記載のデバイス。
【請求項８】
前記薬物コアが、前記活性薬剤と、該活性薬剤に対して透過性であるマトリックス材料との混合物を含有する、請求項１に記載のデバイス。
【請求項９】
前記マトリックス材料が、ポリビニルアルコールを含有する、請求項８に記載のデバイス。
【請求項１０】
前記ディスクの材料が、ヒドロゲルである、請求項１に記載のデバイス。
【請求項１１】
前記ディスクの材料が、ポリビニルアルコールを含有する、請求項１０に記載のデバイス。
【請求項１２】
前記ホルダが、前記薬物コアを囲むシリンダーを備える、請求項１に記載のデバイス。
【請求項１３】
前記シリンダーの一端が、少なくとも１つの開口部を備える、請求項１２に記載のデバイス。
【請求項１４】
前記薬物コアが、円柱形である、請求項１に記載のデバイス。
【請求項１５】
前記薬物コアが、前記活性薬剤に対して透過性である材料でコーティングされている、請求項１に記載のデバイス。
【請求項１６】
薬物送達デバイスであって、以下：
ホルダであって、該ホルダは、薬学的に活性な薬剤の通過に対して不透過性であるシリコーン材料から作製されており、そして該活性薬剤の通過のための少なくとも１つの開口部を備える、ホルダ；
薬物コアであって、該薬物コアは、該ホルダに収容され、そして薬学的に活性な薬剤、および該活性薬剤に対して透過性であるマトリックス材料を含有する、薬物コア；ならびに
該活性薬剤の通過に対して透過性であるヒドロゲル材料から作製された、予め形成されたディスクであって、該ディスクは、該ホルダに収容され、そして該薬物コアと、該ホルダの該少なくとも１つの開口部との間に配置される、予め形成されたディスク、
を備え；
該ディスクは、体液に曝露されると膨潤し、それによって、該ホルダに形成された空間内に膨張する、デバイス。
【請求項１７】
前記ホルダに取り付けられた縫合タブをさらに備える、請求項１６に記載のデバイス。
【請求項１８】
前記ホルダ内の前記空間が、該ホルダの内部に形成された膨張溝を備える、請求項１６に記載のデバイス。
【請求項１９】
前記デバイスが、眼組織内への移植のための大きさにされている、請求項１６に記載のデバイス。
【請求項２０】
前記デバイスを前記眼組織に縫合するためのタブをさらに備える、請求項１９に記載のデバイス。
【発明の詳細な説明】
【技術分野】
【０００１】
（発明の分野）
本発明は、薬物送達デバイスに関し、好ましくは、薬学的に活性な薬剤を眼に放出するために、眼内に配置または移植されるデバイスに関する。このデバイスは、薬物コア、およびこの薬物コアのためのホルダを備え、ここで、このホルダは、この活性薬剤の通過に対して不透過性である材料から作製され、そしてこの薬学的薬剤を眼組織へと通過させるための、少なくとも１つの開口部を備える。このデバイスは、この薬物コアとこのホルダの開口部との間に配置された、不透過性材料のディスクを、さらに備える。
【背景技術】
【０００２】
（発明の背景）
広範な種々の病気および疾患の処置を補助するための、種々の薬物が開発されている。しかし、多くの例において、このような薬物は、有害な副作用の危険性なしには、効率的に経口投与または静脈内投与され得ない。さらに、薬物を局所的に、すなわち、処置を必要とする身体の領域に、投与することが、しばしば望ましい。さらに、薬物を、徐放の様式で局所的に送達し、これによって、比較的少ない用量の薬物が、処置を必要とする身体の領域に、延長された期間にわたって曝露されることが、望ましくあり得る。
【０００３】
従って、眼内に配置され、そして種々の眼疾患を処置するための、種々の徐放性の薬物送達デバイスが、開発されている。例は、以下の特許文献に見出され、これらの開示は、本明細書中に参考として援用される：特許文献１（Ｖｉｓｃａｓｉｌｌａｓ）；特許文献２（Ｂｒｕｂａｋｅｒ）；特許文献３（Ｂｒｕｂａｋｅｒら）；特許文献４（Ｂｒｕｂａｋｅｒら）；特許文献５（Ｂｒｕｂａｋｅｒら）；特許文献６（Ｓｍｉｔｈら）；特許文献７（Ａｓｈｔｏｎら）；特許文献８（Ｃｈｅｎら）；特許文献９（Ａｓｈｔｏｎら）；特許文献１０（Ｇｕｏら）；特許文献１１（Ｇｕｏら）；米国特許出願番号１０／４０３，４２１（Ｄｒｕｇ  Ｄｅｌｉｖｅｒｙ  Ｄｅｖｉｃｅ，２００３年３月２８日出願）（Ｍｏｓａｃｋら）；および米国特許出願番号１０／６１０，０６３（Ｄｒｕｇ  Ｄｅｌｉｖｅｒｙ  Ｄｅｖｉｃｅ，２００３年６月３０日出願）（Ｍｏｓａｃｋ）。
【０００４】
これらのデバイスの多くは、薬学的に活性な薬剤を含有する内部薬物コア、およびこの薬物コアのための、不透過性材料（例えば、シリコーンまたは他の疎水性物質）から作製された、何らかの型のホルダを備える。このホルダは、この不透過性材料を通って眼組織へのこの薬学的薬剤の通過のための、１つ以上の開口部を備える。これらのデバイスの多くは、この活性薬剤に対して透過性である材料（例えば、ポリビニルアルコール（ＰＶＡ））の、少なくとも１つの層を備える。
【特許文献１】米国特許出願公開第２００２／００８６０５１号明細書
【特許文献２】米国特許出願公開第２００２／０１０６３９５号明細書
【特許文献３】米国特許出願公開第２００２／０１１０５９１号明細書
【特許文献４】米国特許出願公開第２００２／０１１０５９２号明細書
【特許文献５】米国特許出願公開第２００２／０１１０６３５号明細書
【特許文献６】米国特許第５，３７８，４７５号明細書
【特許文献７】米国特許第５，７７３，０１９号明細書
【特許文献８】米国特許第５，９０２，５９８号明細書
【特許文献９】米国特許第６，００１，３８６号明細書
【特許文献１０】米国特許第６，２１７，８９５号明細書
【特許文献１１】米国特許第６，３７５，９７２号明細書
【発明の開示】
【課題を解決するための手段】
【０００５】
（好ましい実施形態の詳細な説明）
図１、図２および図３は、本発明のデバイスの実施形態を図示する。デバイス１は、眼への移植のための、徐放性薬物送達デバイスである。デバイス１は、薬学的に活性な薬剤３を含有する内部薬物コア２を含む。
【０００６】
この活性薬剤としては、このデバイスから送達されて眼に対して有利かつ有用な結果を生じ得る、任意の化合物、組成物、またはこれらの混合物が挙げられ得る（特に、局所的または全身性の、所望の生理学的効果または薬理学的効果を得る際に効果的な薬剤）。このような薬剤の例としては、以下が挙げられる：麻酔剤および疼痛緩和剤（ｐａｉｎ  ｋｉｌｌｉｎｇ  ａｇｅｎｔ）（例えば、リドカインおよび関連化合物、ならびにベンゾジアゼパムおよび関連化合物）；抗癌剤（例えば、５−フルオロウラシル、アドリアマイシンおよび関連化合物）；抗真菌剤（例えば、フルコナゾールおよび関連化合物）；抗ウイルス剤（例えば、ホスホモノギ酸三ナトリウム（ｔｒｉｓｏｄｉｕｍ  ｐｈｏｓｐｈｏｍｏｎｏｆｏｒｍａｔｅ）、トリフルオロチミジン、アシクロビル、ガンシクロビル、ＤＤＩおよびＡＺＴ）；細胞移送／移動度切迫剤（ｃｅｌｌ  ｔｒａｎｓｐｏｒｔ／ｍｏｂｉｌｉｔｙ  ｉｍｐｅｎｄｉｎｇ  ａｇｅｎｔ）（例えば、コルヒチン、ビンクリスチン、サイトカラシンＢおよび関連化合物）；抗緑内障薬物（例えば、β−遮断薬：チモロール、ベタキソロール、アテノロール（ａｔｅｎａｌｏｌ）など）；抗高血圧症薬；うっ血除去薬（例えば、フェニレフリン、ナファゾリン、およびテトラヒドラゾリン）；免疫応答改変剤（例えば、ムラミルジペプチドおよび関連化合物）；ペプチドおよびタンパク質（例えば、シクロスポリン、インスリン、成長ホルモン、インスリン関連増殖因子、熱ショックタンパク質および関連化合物）；ステロイド性化合物（例えば、デキサメタゾン、プレドニゾロンおよび関連化合物）；低溶解度ステロイド（例えば、フルオシノロンアセトニドおよび関連化合物）；カルボニックアンヒドラーゼインヒビター；診断剤；抗アポトーシス剤；遺伝子療法剤；金属イオン封鎖剤；還元剤（例えば、グルタチオン）；抗浸透剤；アンチセンス化合物；抗増殖剤；抗体結合体；抗うつ薬；血流増強剤；喘息治療薬物；駆虫剤；非ステロイド性抗炎症剤（例えば、イブプロフェン）；栄養剤およびビタミン；酵素インヒビター；酸化防止剤；抗白内障薬物；アルドースレダクターゼインヒビター；細胞保護剤（ｃｙｔｏｐｒｏｔｅｃｔａｎｔ）；サイトカイン、サイトカインインヒビター；およびサイトカイン保護剤；ＵＶ遮断薬；肥満細胞安定薬；ならびに抗血管新生剤（例えば、マトリックスメタロプロテアーゼインヒビターなどの抗血管新生剤）。
【０００７】
このような薬剤の例としてはまた、以下が挙げられる：神経保護剤（例えば、ニモジピンおよび関連化合物）；抗生物質（例えば、テトラサイクリン、クロルテトラサイクリン、バシトラシン、ネオマイシン、ポリミキシン、グラミシジン、オキシテトラサイクリン、クロラムフェニコール、ゲンタマイシン、およびエリスロマイシン）；抗感染剤；抗菌剤（例えば、スルホンアミド、スルファセタミド、スルファメチゾール、スルフイソキサゾール）；ニトロフラゾン、およびプロピオン酸ナトリウム；抗アレルギー剤（例えば、アンタゾリン、メタピリレン（ｍｅｔｈａｐｙｒｉｌｉｎｅ）、クロルフェニラミン、ピリラミンおよびプロフェンピリダミン）；抗炎症剤（例えば、ヒドロコルチゾン、酢酸ヒドロコルチゾン、デキサメタゾン２１−ホスフェート、フルオシノロン、メドリゾン、メチルプレドニゾロン、プレドニゾロン２１−ホスフェート、酢酸プレドニゾロン、フルオロメトロン（ｆｌｕｏｒｏｍｅｔｈａｌｏｎｅ）、ベタメタゾンおよびトリミノロン（ｔｒｉｍｉｎｏｌｏｎｅ））；縮瞳薬および抗コリンエステラーゼ（例えば、ピロカルピン、サリチル酸エセリン、カルバコール、ジイソプロピルフルオロホスフェート、ホスホリンヨード（ｐｈｏｓｐｈｏｌｉｎｅ  ｉｏｄｉｎｅ）、および臭化デメカリウム）；瞳孔拡大剤（ｍｙｄｒｉａｔｉｃｓ）（例えば、硫酸アトロピン、シクロペントレート、ホマトロピン、スコポラミン、トロピカミド、オイカトロピン、およびヒドロキシアンフェタミン）；交感神経作用薬（例えば、エピネフリン）；ならびにＤｅｓｉｇｎ  ｏｆ  Ｐｒｏｄｒｕｇｓ（Ｈａｎｓ  Ｂｕｎｄｇａａｒｄ編、Ｅｌｓｅｖｉｅｒ  Ｓｃｉｅｎｔｉｆｉｃ  Ｐｕｂｌｉｓｈｉｎｇ  Ｃｏ．，Ａｍｓｔｅｒｄａｍ，１９８５）に記載されるようなプロドラッグ。上記薬剤に加えて、哺乳動物生物における状態を処置するか、管理するか、または診断するために適切な、他の薬剤が、内部コア内に配置され得、そして本発明の徐放性薬物送達デバイスを使用して投与され得る。ここでまた、任意の標準的な薬学的教科書（例えば、Ｒｅｍｉｎｇｔｏｎ’ｓ  Ｐｈａｒｍａｃｅｕｔｉｃａｌ  Ｓｃｉｅｎｃｅｓ）が他の薬剤の確認のために、参照され得る。
【０００８】
このような化合物の、薬学的に受容可能な任意の形態（すなわち、遊離塩基またはその薬学的に受容可能な塩もしくはエステル）が、本発明の実施において使用され得る。例えば、薬学的に受容可能な塩としては、硫酸塩、乳酸塩、酢酸塩、ステアリン酸塩、塩酸塩、酒石酸塩、マレイン酸塩などが挙げられる。
【０００９】
例示される実施形態において示されるように、活性薬剤３は、マトリックス材料４と混合され得る。好ましくは、マトリックス材料４は、体液および眼と適合性の、ポリマー物質である。さらに、マトリックス材料は、このデバイスが体液に曝露される場合に特に、この材料を通る活性薬剤３の通過に対して透過性であるべきである。例示的な実施形態について、このマトリックス材料は、ＰＶＡである。また、この実施形態において、内部薬物コア２は、さらなるマトリックス材料のコーティング５でコーティングされ得、この材料は、この活性薬剤と混合される材料４と同じであっても、異なっていてもよい。例示的な実施形態について、使用されるコーティング５もまた、ＰＶＡである。
【００１０】
デバイス１は、内部薬物コア２のためのホルダ６を備える。ホルダ６は、活性薬剤３の通過に対して不透過性である材料から作製される。ホルダ６は、不透過性の材料から作製されるので、活性薬剤３がこのホルダを通って眼組織に接触することを可能にするために、少なくとも１つの通路７が、ホルダ６に形成される。換言すれば、活性薬剤は、任意の透過性マトリックス材料４および透過性コーティング５を通過し、そして通路７を通って、このデバイスから出る。例示的な実施形態については、このホルダは、シリコーンから作製され、特に、ポリジメチルシロキサン（ＰＤＭＳ）材料から作製される。
【００１１】
この型のデバイスを作製する、先行技術の方法は、以下の手順を包含する。薬物コアの錠剤にほぼ対応する大きさおよび図２に一般的に示されるような形状を有する、シリコーンの円筒形カップが、例えば、成型によって、別個に形成される。次いで、このシリコーンホルダは、イソプロパノールのような溶媒で、抽出される。開口部７が、例えば、ボーリングによって、またはレーザーを用いて、このシリコーンに配置される。液体ＰＶＡの液滴が、このホルダの開口端部１３を通して、このホルダに入れられる。次いで、内部薬物コアの錠剤が、同じ開口端部１３を通してこのシリコーンホルダに入れられ、そしてこの円筒形ホルダ内に押し込まれる。その結果、この錠剤を押すことによって、この液体ＰＶＡが、この錠剤内部コアとシリコーンホルダとの間の空間を満たし、これによって、透過性の層５が形成される。例示的な実施形態について、接着剤の層１１が、このホルダの開口端部１３に適用されて、この内部薬物コアの錠剤を、この端部で完全に封入する。タブ１０が、このデバイスのこの端部に挿入される。液体ＰＶＡおよび接着剤は、このアセンブリを加熱することによって、硬化される。
【００１２】
このような先行技術のデバイスを組み立てる場合に、開口部７の近くにある透過性材料の層５を制御する際に、困難が生じ得る。例えば、液体ＰＶＡの液滴をこのホルダ内に適用する場合、いくらかの液体が、開口部７の中に移動し得る。さらに、多くの透過性材料は、硬化の際に収縮し、ここでまた、透過性材料の均一な層を得る際に、困難をもたらす。さらに、多くの透過性材料（ＰＶＡのようなヒドロゲルを含む）は、水性環境（体液への曝露の際を含む）において膨張（または膨潤）する。このことは、このデバイスを移植して透過性材料が膨張した後に、このデバイスの応力、ひずみおよび変形を引き起こし得る。本発明は、先行技術のデバイスに起因するこのような問題を解決する。
【００１３】
本発明の記載される実施形態によれば、このデバイスは、透過性材料から作製されるディスク１４をさらに備え、このディスクは、ホルダ６と層５との間で、通路７を覆う。例示的な実施形態について、ディスク１４は、層５およびマトリックス材料４について使用された材料と類似の、ＰＶＡから予め形成され得る。この実施形態を組み立てる際に、ディスク１４は、層５を形成する液体の硬化性材料を加える前に、ホルダ６に入れられる。次いで、液体ＰＶＡの液滴が、このホルダの開口端部１３を通してこのホルダに入れられ、そして内部薬物コア錠剤が、同じ開口端部１３を通してこのシリコーンホルダに入れられ、そしてこの円筒形ホルダの中に押し込まれ、これによって、透過性の層５を形成する。通路７における透過性材料の厚さは、先行技術のデバイスよりも良好に制御され得、これによって、透過性材料を通って通路７内への活性物質の、より一貫した放出を提供することが、理解される。
【００１４】
上述の方法においてと同様に、接着剤の層１１が、ここで、このホルダの開口端部１３に適用されて、内部薬物コアの錠剤を、この端部で完全に封入し得る。タブ１０が、このデバイスのこの端部において、この接着剤に抵抗して挿入され、これによって、このデバイスは、図２にあるような外観を呈する。
【００１５】
記載される実施形態は、ホルダ５に形成された膨張溝２０を、さらに備える。図２は、このデバイスを水性環境に曝露する前の、このデバイスを図示する。この図において図示されるように、溝２０は、ホルダ５の膨張に適合するための空間２１を形成する。図３は、眼内に移植され、引き続いて体液に曝露された後の、このデバイスを図示する。この図に図示されるように、ディスク１４は、膨潤し、そして溝２０内に膨張している。ディスク１４の膨潤に起因する、このデバイスに対するあらゆる応力が最小にされることが、理解される。
【００１６】
例示的な実施形態について、活性薬剤は、微粒化粉末の形態で提供され得、次いで、マトリックス材料（この場合、ＰＶＡ）の水溶液と混合され、これによって、活性薬剤とＰＶＡとが、より大きいサイズの粒子に凝集する。次いで、得られた混合物が、いくらかの水分を除去するために乾燥され、次いで、粉砕され、そしてふるいで分けられて、粒子サイズを減少され、その結果、この混合物は、より流動性になる。必要に応じて、錠剤作製を補助するために、少量の不活性滑沢剤（例えば、ステアリン酸マグネシウム）が添加され得る。次いで、この混合物は、標準的な錠剤作製装置を使用して錠剤として形成され、この錠剤が、内部薬物コア２を代表する。
【００１７】
例示される材料に加えて、広範な種々の材料が、本発明のデバイスを構築するために使用され得る。唯一の要件は、これらの材料が、不活性であり、免疫原性ではなく、そして所望の透過性を有することである。このデバイスを製造するために適切であり得る材料としては、体液および身体組織と生物学的に適合性であり、そしてこの材料が接触する体液に本質的に不溶性である、天然に存在する材料または合成材料が挙げられる。体液に迅速に溶解する材料、または非常に可溶性である材料の使用は、避けられるべきである。なぜなら、この壁の溶解は、薬物放出の一貫性、およびこのデバイスが、延長された期間にわたって適所に保持される能力に，影響を与えるからである。
【００１８】
体液および眼の組織と生物学的に適合性であり、そして材料が接触する体液に本質的に不溶性である、天然に存在する材料または合成材料としては、以下が挙げられるが、これらに限定されない：ガラス、金属、セラミック、ポリ酢酸ビニル、架橋ポリビニルアルコール、架橋ポリ酪酸ビニル、エチレン酢酸エチルコポリマー、ポリエチルヘキシルアクリレート、ポリ塩化ビニル、ポリビニルアセタール、可塑化エチレン酢酸ビニルコポリマー、ポリビニルアルコール、ポリ酢酸ビニル、エチレン塩化ビニルコポリマー、ポリビニルエステル、ポリ酪酸ビニル、ポリビニルホルマール、ポリアミド、ポリメチルメタクリレート、ポリブチルメタクリレート、可塑化ポリ塩化ビニル、可塑化ナイロン、可塑化軟質ナイロン、可塑化ポリエチレンテレフタレート、天然ゴム、ポリイソプレン、ポリイソブチレン、ポリブタジエン、ポリエチレン、ポリテトラフルオロエチレン、ポリ塩化ビニリデン、ポリアクリロニトリル、架橋ポリビニルピロリドン、ポリトリフルオロクロロエチレン、塩素化ポリエチレン、ポリ（１，４’−イソプロピリデンジフェニレンカーボネート）、塩化ビニリデン、アクリロニトリルコポリマー、塩化ビニル−フマル酸ジエチルコポリマー、ブタジエン／スチレンコポリマー、シリコーンゴム（特に、医療等級のポリジメチルシロキサン）、エチレン−プロピレンゴム、シリコーン−カーボネートコポリマー、塩化ビニリデン−塩化ビニルコポリマー、塩化ビニル−アクリロニトリルコポリマー、および塩化ビニリデン−アクリロニトリルコポリマー。
【００１９】
例示的な実施形態は、タブ１０を備え、このタブは、広範な種々の材料から作製され得、この材料としては、マトリックス材料および／またはホルダについて上で言及された材料が挙げられる。タブ１０は、眼内の所望の位置に、例えば、縫合によって、このデバイスを取り付ける目的で、提供され得る。例示的な実施形態について、タブ１０は、ＰＶＡから作製され、そして接着剤１１を用いて、内部薬物コア２に接着される。接着剤１１は、硬化性シリコーン接着剤、硬化性ＰＶＡ溶液などであり得る。このデバイスを眼内に縫合することが必要ではない場合、要素１０は、実質的にホルダ６を超えて延びないような、より小さいサイズを有し得る。
【００２０】
好ましい実施形態によれば、このホルダは、このホルダから残留物質を除去するために、抽出される。例えば、シリコーンの場合、このホルダは、より低い分子量の物質（例えば、未反応のモノマー物質およびオリゴマー）を含有し得る。このような残留物質の存在はまた、このホルダの表面の接着に、不利に影響を与え得ると考えられる。このホルダは、このホルダを、抽出溶媒（必要に応じて攪拌する）に入れることによって、抽出され得る。代表的な溶媒は、イソプロパノール、ヘプタン、ヘキサン、トルエン、テトラヒドロフラン（ＴＨＦ）、クロロホルム、超臨界二酸化炭素など（これらの混合物を含む）のような、極性溶媒である。抽出後、この溶媒は、好ましくは、例えば、窒素ボックス中、層流フード中、または減圧オーブン中で蒸発させることによって、このホルダから除去される。
【００２１】
所望であれば、このホルダは、抽出後に、このホルダのぬれ性を増加させるため、ならびにこのホルダへの薬物コアおよび／またはタブの接着を改善するために、プラズマ処理され得る。このようなプラズマ処理は、酸化媒体（例えば、酸素含有化合物または窒素含有化合物：アンモニア、アミノアルカン、空気、水、過酸化物、酸素ガス、メタノール、アセトン、アルキルアミンなど、またはこれらの適切な混合物（アルゴンのような不活性ガスを含有する））からなる雰囲気中で、酸化プラズマを使用する。混合された媒体の例としては、酸素／アルゴンまたは水素／メタノールが挙げられる。代表的に、このプラズマ処理は、閉じたチャンバ内で、１３．５６ＭＨｚの放電周波数、好ましくは、約２０ワットから５００ワットの間で、約０．１トル〜１．０トルの圧力で、好ましくは、約１０秒間〜約１０分間、またはそれより長時間、より好ましくは、約１分間〜１０分間、実施される。
【００２２】
このデバイスは、滅菌され、そしてパッケージされ得る。例えば、このデバイスは、γ放射線での照射によって、滅菌され得る。
【００２３】
このデバイスの寸法は、このデバイスのサイズ、内部薬物コアのサイズ、およびコアまたは受容器を囲むホルダと共に変動し得ることが、理解される。このデバイスの物理的サイズは、哺乳動物生物の移植部位において、生理学的機能を妨害しないように、選択されるべきである。標的化される疾患状態、哺乳動物の生物の型、投与の位置、および投与される薬剤は、とりわけ、徐放性の薬物送達デバイスの所望のサイズをもたらす要因である。しかし、このデバイスは、眼内への配置が意図されるので、このデバイスは、サイズが比較的小さい。一般に、このデバイス（縫合タブを除く）は、それぞれが１０ｍｍ以下、より好ましくは、５ｍｍ以下、そして最も好ましくは、３ｍｍ以下である、最大の高さ、幅および長さを有することが好ましい。
【００２４】
例および説明された実施形態は、本発明についての徐放性薬物送達デバイスの設計のいくつかを示す。しかし、これらの実施例は、説明の目的のみであり、そして条件および範囲に関して全体的に決定的であるとはされないことが理解されるべきである。本発明は、種々の好ましい実施形態に関して記載されたが、本明細書を考慮して、本発明の精神および添付の特許請求の範囲の範囲から逸脱することなく、多くのバリエーションが、当業者に明らかである。
【図面の簡単な説明】
【００２５】
【図１】図１は、本発明の薬物送達デバイスの実施形態の斜視図である。
【図２】図２は、図１のデバイスの断面図である。
【図３】図３は、図１のデバイスの断面図である。
【図１】
2007515231.tif 000003
【図２】
2007515231.tif 000004
【図３】
2007515231.tif 000005
【国際調査報告】
2007515231.tif 000006
2007515231.tif 000007
2007515231.tif 000008